(57)【要約】【課題】ユーザにとって理解しやすく使い勝手のよいナビゲーションを実現できる情報処理システムを提供する。【解決手段】情報処理システムは、音声入力手段および音声出力手段を有する固定端末と、視覚的出力手段を有する移動端末とを備えた情報処理システムにおいて、固定端末の音声入力手段に対する音声入力に応じて、固定端末用経路情報と移動端末用経路情報とを取得する経路取得手段と、取得した固定端末用経路情報を固定端末の音声出力手段から出力し、取得した移動端末用経路情報を移動端末の視覚的出力手段から出力する出力制御手段と、を備える。【選択図】  図１
2019102015.tif 000002
【特許請求の範囲】
【請求項１】
音声入力手段および音声出力手段を有する固定端末と、視覚的出力手段を有する移動端末とを備えた情報処理システムにおいて、
前記固定端末の前記音声入力手段に対する音声入力に応じて、固定端末用経路情報と移動端末用経路情報とを取得する経路取得手段と、
前記取得した固定端末用経路情報を前記固定端末の前記音声出力手段から出力し、前記取得した移動端末用経路情報を前記移動端末の前記視覚的出力手段から出力する出力制御手段と、
を備えた情報処理システム。
【請求項２】
前記固定端末用経路情報は経路の概要情報であり、前記移動端末用経路情報は経路の詳細情報である、請求項１に記載の情報処理システム。
【請求項３】
前記概要情報は、料金、所要時間、出発時刻、出発までの残り時間のうちの少なくとも１つに関する情報である、請求項２に記載の情報処理システム。
【請求項４】
前記出力制御手段は、さらに経路情報に含まれる日時情報と、現在日時とに基づいて経路の概要情報を前記固定端末の前記音声出力手段から出力する、請求項２または３に記載の情報処理システム。
【請求項５】
前記出力制御手段は、さらに所定条件に基づいて出力先、ならびに出力内容および／または出力タイミングを制御するものであり、
前記所定条件は、経路情報の情報量、日時条件、乗換回数、混雑状況、交通状況、移動手段のうちのすくなくとも１つに関する条件である、請求項１に記載の情報処理システム。
【請求項６】
前記移動端末用経路情報は、前記固定端末用経路情報の探索条件であり、
前記移動端末用経路情報に関して前記移動端末の入力手段に対するユーザ操作を受け付けると、前記出力制御手段は、ユーザ操作時における日時条件および／または前記移動端末の位置情報と、前記探索条件とに基づいて、経路に関する詳細情報を前記移動端末の前記視覚的出力手段から出力する、請求項１に記載の情報処理システム。
【請求項７】
前記出力制御手段は、複数の候補経路情報のうち所定数の候補経路のみ固定端末用経路情報として前記固定端末の前記音声出力手段から出力し、その他の候補経路を含む経路情報を移動端末用経路情報として前記移動端末の前記視覚的出力手段から出力する、請求項１に記載の情報処理システム。
【請求項８】
前記出力制御手段は、一の経路情報のうち、特定区間の移動情報のみ固定端末用経路情報として前記固定端末の前記音声出力手段から出力し、その他の移動情報を移動端末用経路情報として前記移動端末の前記視覚的出力手段から出力する、請求項１に記載の情報処理システム。
【請求項９】
前記移動端末の入力手段に対するユーザ操作に応じて一の経路が選定されると、前記出力制御手段は、選定された経路の情報を前記固定端末の前記音声出力手段および／または前記固定端末と連携する他の移動端末の視覚的出力手段から出力する、請求項１に記載の情報処理システム。
【請求項１０】
移動に伴う交通機関や施設を、固定端末の音声入力手段に対する音声入力に応じて、予約または決済する予約決済手段をさらに備えた、請求項１に記載の情報処理システム。
【請求項１１】
前記固定端末の音声入力手段に対する音声入力に基づいて発話したユーザが認識され、前記出力制御手段は、認識されたユーザに紐づく移動端末の視覚的出力手段から移動端末用経路情報を出力する、請求項１に記載の情報処理システム。
【請求項１２】
前記出力制御手段は、同じ読みの駅名や読みが部分一致する駅名が複数ある場合、最も可能性が高い駅名を利用した経路情報を前記固定端末の前記音声出力手段から出力し、その他の経路情報を前記移動端末の前記視覚的出力手段から出力する、請求項１に記載の情報処理システム。
【請求項１３】
コンピュータを、
固定端末の音声入力手段に対する音声入力に応じて、固定端末用経路情報と移動端末用経路情報とを取得する経路取得手段、
前記取得した固定端末用経路情報を前記固定端末の音声出力手段から出力し、前記取得した移動端末用経路情報を移動端末の視覚的出力手段から出力する出力制御手段、
として機能させる情報処理プログラム。
【請求項１４】
通信可能に接続された複数のコンピュータによって構成される情報処理システムであって、
固定端末の音声入力手段に対する音声入力に応じて、固定端末用経路情報と移動端末用経路情報とを取得する経路取得手段と、
前記取得した固定端末用経路情報を前記固定端末の音声出力手段から出力し、前記取得した移動端末用経路情報を移動端末の前記視覚的出力手段から出力する出力制御手段と、
を備えた情報処理システムとして機能させるために、
上記コンピュータの少なくとも１つを上記経路取得手段および出力制御手段の少なくとも１つとして機能させるための情報処理プログラム。
【請求項１５】
通信可能に接続された複数のコンピュータによって、
固定端末の音声入力手段に対する音声入力に応じて、固定端末用経路情報と移動端末用経路情報とを取得する経路取得手段と、
前記取得した固定端末用経路情報を前記固定端末の音声出力手段から出力し、前記取得した移動端末用経路情報を移動端末の前記視覚的出力手段から出力する出力制御手段と、
を備えた情報処理システムを構成するために、
上記経路取得手段および出力制御手段の少なくとも１つを備えた情報処理装置。
【請求項１６】
経路取得手段が、固定端末の音声入力手段に対する音声入力に応じて、固定端末用経路情報と移動端末用経路情報とを取得するステップと、
出力制御手段が、前記取得した固定端末用経路情報を前記固定端末の音声出力手段から出力し、前記取得した移動端末用経路情報を移動端末の前記視覚的出力手段から出力するステップと、
を備えた情報処理方法。
【発明の詳細な説明】
【技術分野】
【０００１】
本発明は、情報処理システム、情報処理プログラム、情報処理装置および情報処理方法に関する。
【背景技術】
【０００２】
近年、固定対話型端末、いわゆるスマートスピーカーが、登場している。。スマートスピーカーは、人工知能技術により音声認識を行うサーバにネットワークを介して通信可能に接続され、ユーザは、スマートフォンを取り出さなくても、スマートスピーカーに向かって話しかけるだけで、家電を操作したり、オンラインショッピングで商品を注文したり、スケジュールを確認したり、音楽を再生したり、ニュースや天気を読み上げたりすることができる。特許文献１には、スマートスピーカーの基本的な構成が開示されている。
【先行技術文献】
【特許文献】
【０００３】
【特許文献１】特表２０１６−５０５８８８号公報
【発明の概要】
【発明が解決しようとする課題】
【０００４】
ところで、スマートフォンでは乗換経路探索などのナビゲーション機能が多くのユーザにより日常的に利用されているものの、スマートスピーカーでナビゲーション機能を利用するには、次のような問題がある。すなわち、経路案内や運行状況は情報量が多いため、スマートスピーカーから案内情報を音声で出力させても、ユーザはそれを覚えきれず、内容を把握することが難しい。また、経路案内や運行状況は内容が複雑であるため、スマートスピーカーから案内情報の概要だけを音声で出力させても、ナビゲーションとしては役に立たないものとなる。
【０００５】
本発明は、以上のような点を考慮してなされたものである。本発明の目的は、ユーザにとって理解しやすく使い勝手のよいナビゲーションを実現できる情報処理システム、情報処理プログラム、情報処理装置および情報処理方法を提供することにある。
【課題を解決するための手段】
【０００６】
本発明に係る情報処理システムは、
音声入力手段および音声出力手段を有する固定端末と、視覚的出力手段を有する移動端末とを備えた情報処理システムにおいて、
前記固定端末の前記音声入力手段に対する音声入力に応じて、固定端末用経路情報と移動端末用経路情報とを取得する経路取得手段と、
前記取得した固定端末用経路情報を前記固定端末の前記音声出力手段から出力し、前記取得した移動端末用経路情報を前記移動端末の前記視覚的出力手段から出力する出力制御手段と、
を備える。
【発明の効果】
【０００７】
本発明によれば、ユーザにとって理解しやすく使い勝手のよいナビゲーションを実現できる。
【図面の簡単な説明】
【０００８】
【図１】図１は、一実施の形態に係る情報処理システムの概略的な構成を示す図である。
【図２】図２は、一実施の形態に係る情報処理システムの動作の一例を示すフローチャートである。
【図３】図３は、一実施の形態に係る情報処理システムの動作の一例を説明するための図である。
【図４】図４は、一実施の形態に係る情報処理システムの動作の一例を説明するための図である。
【図５】図５は、一実施の形態に係る情報処理システムの動作の一例を説明するための図である。
【図６】図６は、一実施の形態に係る情報処理システムの動作の一例を説明するための図である。
【図７】図７は、一実施の形態に係る情報処理システムの動作の一例を説明するための図である。
【図８】図８は、一実施の形態に係る情報処理システムの動作の一例を説明するための図である。
【図９】図９は、一実施の形態に係る情報処理システムの動作の一例を説明するための図である。
【図１０】図１０は、一実施の形態に係る情報処理システムの動作の一例を説明するための図である。
【発明を実施するための形態】
【０００９】
以下に、添付の図面を参照して、本発明の実施の形態を詳細に説明する。なお、各図において同等の機能を有する構成要素には同一の符号を付し、同一符号の構成要素の詳しい説明は繰り返さない。また、本明細書において、「Ａおよび／またはＢ」とは、ＡおよびＢのいずれか一方または両方を意味するものとする。
【００１０】
（情報処理システムの構成）
一実施形態に係る情報処理システムについて説明する。図１は、一実施形態に係る情報処理システム１の概略的な構成を示す図である。なお、同図において、各機能を行う機能部は、それぞれ各機能を行う手段ということができる。
【００１１】
図１に示すように、情報処理システム１は、固定端末２と、サーバ３と、移動端末４とを備えている。固定端末２とサーバ３と移動端末４とは、インターネット等のネットワーク５を介して互いに通信可能に接続されている。ネットワーク５は、有線回線と無線回線のいずれでもよく、回線の種類や形態は問わない。なお、固定端末２とサーバ３と移動端末４の少なくとも一部は、コンピュータにより実現される。
【００１２】
固定端末２は、ユーザが音声で操作可能な固定対話型端末、いわゆるスマートスピーカーであり、音声認識を行うサーバ（不図示）にネットワーク５を介して通信可能に接続されている。固定端末２は、家のリビングなど特定の空間内に据え置いて利用することが想定されているものである。固定端末２は、固定端末２と連携する家庭用電気機器（いわゆる家電）や周辺機器をコントロール可能であってもよい。ユーザは固定端末２と会話をするように操作できるので利便性が高い。
【００１３】
図１に示すように、固定端末２は、固定端末通信部２１と、固定端末制御部２２と、固定端末記憶部２３と、音声入力部２４と、音声出力部２５とを有している。各部は、バスを介して互いに通信可能に接続されている。
【００１４】
固定端末通信部２１は、固定端末２とネットワーク５との間の通信インターフェースである。固定端末通信部２１は、ネットワーク５を介して固定端末２とサーバ３との間で情報を送受信する。
【００１５】
固定端末制御部２２は、固定端末２の各種処理を行う制御手段である。固定端末制御部２２は、固定端末２内のプロセッサが所定のプログラムを実行することにより実現されてもよいし、ハードウェアで実装されてもよい。
【００１６】
固定端末記憶部２３は、たとえば内蔵メモリや外部メモリ（ＳＤメモリカード等）などのデータストレージである。固定端末記憶部２３には、固定端末制御部２２が取り扱う各種データが記憶される。固定端末記憶部２３は、必ずしも固定端末２内に設けられていなくてもよく、固定端末記憶部２３の一部または全部は、ネットワーク５を介して固定端末２と通信可能に接続された別の装置（たとえば、サーバ）内に設けられていてもよい。
【００１７】
音声入力部２４は、ユーザが固定端末２に音声で情報を入力するためのインターフェースであり、たとえばマイクロフォンである。
【００１８】
音声出力部２５は、固定端末２からユーザに対して各種情報を音声で出力するインターフェースであり、たとえばスピーカーである。
【００１９】
次に、移動端末４について説明する。移動端末４は、ユーザが携帯して使用するものであり、たとえば、スマートフォンやタブレット端末などのモバイル端末である
【００２０】
図１に示すように、移動端末４は、移動端末通信部４１と、移動端末制御部４２と、移動端末記憶部４３と、移動端末入力部４４と、視覚的出力部４５とを有している。各部は、バスを介して互いに通信可能に接続されている。
【００２１】
移動端末通信部４１は、移動端末４とネットワーク５との間の通信インターフェースである。移動端末通信部４１は、ネットワーク５を介して移動端末４とサーバ３との間で情報を送受信する。
【００２２】
移動端末制御部４２は、移動端末４の各種処理を行う制御手段である。移動端末制御部４２は、移動端末４内のプロセッサが所定のプログラムを実行することにより実現されてもよいし、ハードウェアで実装されてもよい。
【００２３】
移動端末記憶部４３は、たとえば内蔵メモリや外部メモリ（ＳＤメモリカード等）などのデータストレージである。移動端末記憶部４３には、移動端末制御部４２が取り扱う各種データが記憶される。移動端末記憶部４３は、必ずしも移動端末４内に設けられていなくてもよく、移動端末記憶部４３の一部または全部は、ネットワーク５を介して移動端末４と通信可能に接続された別の装置（たとえば、サーバ）内に設けられていてもよい。
【００２４】
移動端末入力部４４は、ユーザが移動端末４に情報を入力するためのインターフェースであり、たとえばタッチパネルやマイクロフォンである。
【００２５】
視覚的出力部４５は、移動端末４からユーザに対して各種情報を視覚的に出力するインターフェースであり、たとえば液晶ディスプレイ等の映像表示手段である。具体的には、たとえば、視覚的出力部４５は、ユーザからの操作を受け付けるためのＧＵＩ（Ｇｒａｐｈｉｃａｌ  Ｕｓｅｒ  Ｉｎｔｅｒｆａｃｅ）を表示する。
【００２６】
次に、サーバ３について説明する。図１に示すように、サーバ３は、サーバ通信部３１と、サーバ制御部３２と、サーバ記憶部３３とを有している。各部は、バスを介して互いに通信可能に接続されている。
【００２７】
このうちサーバ通信部３１は、サーバ３とネットワーク５との間の通信インターフェースである。サーバ通信部３１は、ネットワーク５を介して固定端末２および移動端末４とサーバ３との間で情報を送受信する。
【００２８】
サーバ制御部３２は、経路取得部３２ａと、出力制御部３２ｂと、予約決済部３２ｃとを有している。これらの各部は、サーバ３内のプロセッサが所定のプログラムを実行することにより実現されてもよいし、ハードウェアで実装されてもよい。
【００２９】
経路取得部３２ａは、固定端末２の音声入力部２４に対する音声入力に応じて、たとえば後述する経路ネットワーク情報データベース３３ａを参照して、固定端末用経路情報と移動端末用経路情報とを取得する。
【００３０】
出力制御部３２ｂは、たとえば後述するサーバ記憶部３３の登録内容を参照して、固定端末２と連携する移動端末４を確認し、経路取得部３２ａにより取得された固定端末用経路情報を、固定端末２に送信して音声出力部２５から出力させ、経路取得部３２ａにより取得された移動端末用経路情報を、移動端末４に送信して視覚的出力部４５から出力させる。
【００３１】
固定端末２と連携する移動端末４が複数存在する場合には、固定端末２の音声入力部２４に対する音声入力に基づいて発話したユーザが認識され、出力制御部３２ｂは、認識されたユーザに紐づく移動端末４の視覚的出力部４５から移動端末用経路情報を出力させてもよい。
【００３２】
出力制御部３２ｂは、さらに所定条件に基づいて出力先、ならびに出力内容および／または出力タイミングを制御するものであってもよい。ここで、「所定条件」は、経路情報の情報量、日時条件（出発時刻等）、乗換回数、混雑状況、交通状況、移動手段のうちのすくなくとも１つに関する条件であってもよい。「所定条件」は、ユーザが設定可能な条件であってもよい。
【００３３】
一例として、固定端末用経路情報は経路の概要情報であり、移動端末用経路情報は経路の詳細情報であってもよい。ここで、経路の概要情報は、経路の料金（運賃）、所要時間、出発時刻のうちの少なくとも１つに関する情報であってもよい。
【００３４】
予約決済部３２ｃは、外部の乗車券予約システムや宿泊施設予約システムなどを、ネットワーク５を介して利用して、経路の移動に伴う交通機関や各種施設を、固定端末２の音声入力部２４に対する音声入力に応じて、予約または決済する。
【００３５】
サーバ記憶部３３は、たとえばハードディスク等の固定型データストレージである。サーバ記憶部３３は、必ずしもサーバ３内に設けられなくてもよく、サーバ記憶部３３の一部または全部は、ネットワーク５を介してサーバ３と通信可能に接続された別の装置内に設けられてもよい。
【００３６】
サーバ記憶部３３には、サーバ制御部３２が取り扱う各種データが記憶される。たとえば、サーバ記憶部３３は、交通ネットワーク情報を含む経路ネットワーク情報データベース３３ａと、地図情報を含む地図情報データベース３３ｂとを含んでいる。
【００３７】
交通ネットワーク情報は、鉄道やバス等の交通網や道路網を規定する情報である。交通網の情報としては、交通機関の路線情報、時刻表情報、料金情報等を含む。道路網の情報は、例えば交差点等の道路網表現上の結節点であるノードのデータと、ノード間の道路区間であるリンクのデータとの組み合わせによって表現される。地図情報および経路ネットワーク情報は、渋滞状況の予測や経路探索に用いられる。
【００３８】
地図情報は、全国および各地方の道路地図などの地図データと、地図データに対応付けられた地図オブジェクト情報を含む。地図オブジェクト情報とは、地図上に表示される施設の形状についての形状情報、地図上に表示される注記についての注記情報、地図上に表示される記号についての記号情報などである。また、地図情報は公共交通機関の路線図に関する路線図情報を含んでいてもよい。
【００３９】
上記の交通ネットワーク情報および地図情報は、所定のタイミングでアップデートされてもよい。
【００４０】
サーバ記憶部３３には、固定端末２ごとに、固定端末２と連携する移動端末４の情報が登録されていてもよい。また、サーバ記憶部３３には、各移動端末４のユーザの声紋情報が登録されていてもよい。
【００４１】
（動作の一例（第１実施例））
次に、図２および図３を参照して、情報処理システム１の動作の一例について説明する。図２は、情報処理システム１の動作の一例を示すフローチャートである。図３は、情報処理システム１の動作の一例を説明するための図である。なお、以下の説明では、出発駅から目的駅までの乗換探索サービスを例に説明するが、トータルナビ（自宅などの出発地から目的地までのドア・ツー・ドアの経路探索サービス）にも適用可能であることは言うまでもない。
【００４２】
まず、図２および図３に示すように、固定端末２の音声入力部２４にウェイクワード（起動のためのキーワード）がユーザからの音声により入力されるなどして、固定端末２が起動されたのち、経路探索条件としての出発駅および目的駅がユーザからの音声により音声入力部２４に入力されると、固定端末制御部２２（または固定端末２に通信可能に接続された不図示の音声認識サーバ）は、音声入力部２４に対するユーザの音声入力に基づいて出発駅および目的駅を確定する（ステップＳ１０）。図３に示す例では、ユーザが固定端末２に向かって「Ａ駅からＢ駅まで」と呼びかけると、固定端末制御部２２（または不図示の音声認識サーバ）は、「Ａ駅」を出発駅として確定し、「Ｂ駅」を目的駅として確定する。固定端末制御部２２（または不図示の音声認識サーバ）は、ユーザの音声入力に基づいて確定された出発駅および目的駅の情報をサーバ３に送信する。
【００４３】
サーバ３の経路取得部３２ａは、ユーザの音声入力に基づいて確定された出発駅および目的駅の情報を経路探索条件に設定し、この経路探索条件を満たすような経路の情報を、固定端末用経路情報と移動端末用経路情報として、経路ネットワーク情報データベース３３ａを参照して取得する（ステップＳ１１）。図３に示す例では、経路取得部３２ａは、Ａ駅からＢ駅までの経路として、第１〜第３経路情報を取得する。各経路情報には、所要時間、運賃、出発時刻、到着時刻、運行状況、混雑状況などの各種情報が含まれる。
【００４４】
次に、出力制御部３２ｂは、サーバ記憶部３３に記憶された登録内容を参照して、固定端末２と連携する移動端末４を確認する（ステップＳ１２）。
【００４５】
たとえば、住居内に設置された１台の固定端末２に家族各人の移動端末４を連携させている場合など、固定端末２と連携する移動端末４が複数存在する場合には、固定端末制御部２２（または不図示の音声認識サーバ）が、音声入力部２４に入力された音声の声紋など音声の特徴を分析して発話したユーザを認識し、出力制御部３２ｂは、認識されたユーザに紐づく移動端末４を、サーバ記憶部３３の登録内容を参照して確認し、移動端末用経路情報の出力先とする。一人に対して複数の移動端末が紐づいている場合には、紐づく端末全てを出力先としてもよく、最も優先度の高い端末を判定し一台のみに出力してもよい。
【００４６】
次に、出力制御部３２ｂは、所定条件に基づいて、経路情報の出力先、ならびに出力内容および／または出力タイミングを選定する（ステップＳ１３）。たとえば、出力制御部３２ｂは、経路情報の情報量が所定の値以上である場合には、経路の概要情報を固定端末用経路情報として選定し、経路情報全体（すなわち経路の詳細情報）を移動端末用経路情報として選定する。経路の概要情報は、固定端末２の音声出力部２５から音声で出力された場合にユーザが容易に把握できるものであればよく、たとえば、経路の料金（運賃）、所要時間、出発時刻、出発までの残り時間のうちの少なくとも１つに関する情報であってもよい。図３に示す例では、第１〜第３経路情報全体の情報量が大きく、音声で出力されてもユーザが聞き取れない可能性があるため、出力制御部３２ｂは、第１経路情報における経路の料金および所要時間を、固定端末用経路情報として選定し、第１〜第３経路情報全体を、移動端末用経路情報として選定する。
【００４７】
出力制御部３２ｂは、固定端末用経路情報を固定端末２に送信し、固定端末２の音声出力部２５から固定端末用経路情報を音声で出力させる（ステップＳ１４）。図３に示す例では、固定端末２の音声出力部２５から「Ａ駅からＢ駅までの経路は、所要時間Ｎ分、運賃はＸ円です。」という情報が音声で出力される。出力制御部３２ｂは、固定端末用経路情報に係る経路の運行状況を監視し、列車遅延などの運行情報が発生した場合には、固定端末２の音声出力部２５から運行情報を自動的に出力させてもよい。
【００４８】
また、出力制御部３２ｂは、移動端末用経路情報を移動端末４に送信し、移動端末４の視覚的出力部４５から移動端末用経路情報を文字および／または画像で視覚的に出力させる。図３に示す例では、移動端末４の視覚的出力部４５から、第１〜第３経路情報全体が文字により一覧で表示される。
【００４９】
以上のような本実施の形態によれば、経路取得部３２ａが、固定端末２の音声入力部２４に対する音声入力に応じて経路情報を取得し、出力制御部３２ｂが、固定端末２の音声出力部２５だけでなく、固定端末２の音声出力部２５と移動端末４の視覚的出力部４５とを組み合わせて出力手段として利用し、固定端末用経路情報を固定端末２の音声出力部２５から出力し、移動端末用経路情報を移動端末４の視覚的出力部４５から出力する。ユーザからの音声入力により経路情報が取得されるとともに、取得された経路情報の内容や状況に応じて適切な出力先から経路情報が出力されることで、ユーザにとって理解しやすく使い勝手のよいナビゲーションを実現することができる。
【００５０】
また、本実施の形態によれば、固定端末用経路情報は経路の概要情報であり、前記移動端末用経路情報は経路の詳細情報であって、固定端末２の音声出力部２５からは経路の概要情報が出力されるため、ユーザはそれを聞き取って容易に内容を把握することができる。また、それだけでなく、移動端末４の視覚的出力部４５から経路の詳細情報が出力されるため、ユーザは経路情報の詳細を任意のタイミングで確認してナビゲーションとして利用することが可能である。これにより、例えば家を出発するまでの状況においては、おおよその経路と出発すべき時刻などの移動開始に必須な情報に絞って出力し、その他の詳細な情報については、移動開始後の移動中を利用して確認できるよう出力するので、ユーザはスムーズな移動開始と詳細情報の把握を行うことができる。  
【００５１】
なお、図３に示す例では、出力制御部３２ｂが、経路の概要情報を固定端末用経路情報として固定端末２の音声出力部２５から出力させ、経路情報全体（すなわち経路の詳細情報）を移動端末用経路情報として移動端末４の視覚的出力部４５から出力させたが、経路取得部３２ａにより取得された経路情報の内容や状況に応じて適切な出力先から経路情報が出力されるのであれば、図３に示す例に限定されるものではない。
【００５２】
（動作の別の一例（第２実施例））
たとえば、図４に示すように、出力制御部３２ｂは、（図３に示す例と同様に）経路の概要情報を固定端末用経路情報として固定端末２の音声出力部２５から出力させるが、（図３に示す例とは異なり）固定端末経路情報の探索条件を移動端末用経路情報として移動端末４の視覚的出力部４５から出力させてもよい。
【００５３】
図４に示す例では、出力制御部３２ｂは、「Ａ駅からＢ駅までの経路です。」という情報（固定端末経路情報の経路探索条件）を、移動端末４の視覚的出力部４５からプッシュ通知で出力させる。
【００５４】
そして、図４に示すように、移動端末入力部４４に対するユーザ操作により、視覚的出力部４５に出力された移動端末用経路情報（経路探索条件）のプッシュ通知が開けられると、移動端末制御部４２は、経路探索要求と、ユーザ操作時における日時情報（図４に示す例では「１６：２２」）とを、サーバ３へと送信する。移動端末制御部４２は、たとえば、ＧＰＳ、ビーコンなどの電波航法手段による測位情報に基づいて移動端末４の現在位置の情報を取得し、経路探索要求およびユーザ操作時における日時情報とともに、移動端末４の現在の位置情報をサーバ３へと送信してもよい。
【００５５】
経路取得部３２ａは、ユーザ操作時における日時条件および／または移動端末４の位置情報と、移動端末用経路情報（すなわち固定端末用経路情報の探索条件）とに基づいて、経路探索条件を再設定し、再設定された経路探索条件を満たすような経路の情報を、経路ネットワーク情報データベース３３ａを参照して取得する。図４に示す例では、Ａ駅からＢ駅までの経路であって、移動端末４の現在位置またはＡ駅からの出発時刻が１６時２２分以降の経路が、経路取得部３２ａにより取得される。
【００５６】
そして、出力制御部３２ｂは、経路取得部３２ａが取得した経路に関する詳細情報を、移動端末４の視覚的出力部４５から出力させる。この場合、移動端末４にて経路の詳細情報を確認するのが遅くなっても、その時間、場所に応じたタイムリーな経路情報が出力されるため、より使い勝手のよいナビゲーションを実現できる。
【００５７】
（動作のさらに別の一例（第３実施例））
また、たとえば、図５に示すように、出力制御部３２ｂは、経路情報に含まれる日時情報と、現在日時とに基づいて、経路の概要情報を固定端末２の音声出力部２５から出力させる出力タイミングを設定してもよい。言い換えると、出力制御部３２ｂは、経路情報に含まれる日時情報と現在日時との関係に基づくタイミングで、経路の概要情報を固定端末２の音声出力部２５から出力させてもよい。
【００５８】
図５に示す例では、出力制御部３２ｂは、現在日時が、経路情報に含まれる日時情報の２０分前になったら、経路の概要情報として出発までの残り時間に関する情報（「あと２０分で、出発の時刻です」）を、固定端末２の音声出力部２５から出力させる。出発までの残り時間が少なくなるにつれ、小まめに残り時間を報知するようにしてもよい。
【００５９】
ここで、出力制御部３２ｂは、設定された出力タイミング（出発時刻の２０分前）に、固定端末２が備える近接センサ（不図示）からの情報に基づいて、ユーザが出発せずに固定端末２の周辺に未だいるのかどうかを判定し、ユーザが固定端末２の周囲にいると判定された場合にのみ、経路の概要情報を固定端末２の音声出力部２５から出力させてもよい。
【００６０】
また、経路取得部３２ａは、設定された出力タイミング（出発時刻の２０分前）に、経路の最新の交通状況または混雑状況を取得し、出力制御部３２ｂは、経路の概要情報とともに、当該経路の最新の交通状況または混雑状況を、固定端末２の音声出力部２５から出力させてもよい。
【００６１】
図５に示す例では、出力制御部３２ｂが経路情報に含まれる日時情報と現在日時とに基づいて音声出力部２５からの出力タイミングを設定することにより、いわゆるリマインド機能が実現されるため、より使い勝手のよいナビゲーションを実現できる。なお、出力タイミングはユーザの指示により、たとえば１０分後や次の日などに変更可能であってもよい。
【００６２】
出力制御部３２ｂは、出力対象の情報特性が経路情報や運行情報に該当するか否かを判定し、経路情報や運行情報に該当しない情報を音声出力部２５から発話させる場合には、出力タイミングの制御を行わずに全て即時発話させるようにしてもよい。
【００６３】
（動作のさらに別の一例（第４実施例））
また、たとえば、図６に示すように、出力制御部３２ｂは、複数の候補経路情報のうち所定数の候補経路のみを、固定端末用経路情報として固定端末２の音声出力部２５から出力させ、その他の候補経路を含む経路情報を、移動端末用経路情報として移動端末４の視覚的出力部４５から出力させてもよい。
【００６４】
図６に示す例では、出力制御部３２ｂは、経路取得部３２ａにより取得された第１〜第３経路情報のうち、第１経路情報のみを、固定端末用経路情報として固定端末２の音声出力部２５から出力させ、第２、第３経路情報を含む全ての経路情報を、移動端末用経路情報として移動端末４の視覚的出力部４５から出力させる。この場合も、出力制御部３２ｂが、固定端末２の音声出力部２５だけでなく、固定端末２の音声出力部２５と移動端末４の視覚的出力部４５とを組み合わせて出力手段として利用し、取得された経路情報の内容や状況に応じて適切な出力先から経路情報を出力させるため、ユーザにとって使い勝手のよいナビゲーションを実現できる。
【００６５】
（動作のさらに別の一例（第５実施例））
また、たとえば、図７に示すように、出力制御部３２ｂは、一の経路情報のうち、特定区間の移動情報のみ固定端末用経路情報として、固定端末２の音声出力部２５から出力させ、その他の移動情報を含む移動情報を、移動端末用経路情報として移動端末４の視覚的出力部４５から出力させてもよい。
【００６６】
図７に示す例では、出力制御部３２ｂは、Ａ駅からＦ駅までの１つの経路情報のうち、出発駅であるＡ駅から最初の乗換駅であるＤ駅までの区間の移動情報のみを、固定端末用経路情報として固定端末２の音声出力部２５から出力させ、出発駅であるＡ駅から目的駅であるＦ駅までの区間全体の移動情報、あるいはＤ駅以降の移動情報を、移動端末用経路情報として移動端末４の視覚的出力部４５から出力させる。この場合も、出力制御部３２ｂが、固定端末２の音声出力部２５だけでなく、固定端末２の音声出力部２５と移動端末４の視覚的出力部４５とを組み合わせて出力手段として利用し、取得された経路情報の内容や状況に応じて適切な出力先から経路情報を出力させるため、ユーザにとって使い勝手のよいナビゲーションを実現できる。
具体的には、移動をする上で真っ先に必要となる情報である、最初に乗車すべき電車の情報のみを固定端末２で即時出力し、全体の詳細な移動情報を移動端末４で出力するので、最初の電車への乗り遅れや間違いを防ぐとともに、詳細な移動情報を乗車後の時間に余裕があるタイミング等で確認することができる。
【００６７】
（動作のさらに別の一例（第６実施例））
また、たとえば、図８に示すように、出力制御部３２ｂは、音声入力部２４から音声で入力された出発駅および／または目的駅について、同じ読みの駅名や読みが部分一致する駅名が複数ある場合、最も可能性が高い駅名を利用した経路情報を、固定端末２の音声出力部２５から出力させ、その他の経路情報を移動端末４の視覚的出力部４５から出力させてもよい。ここで、複数の駅名候補のうち、音声で入力された読みと一致する割合が最も高い駅名を、「最も可能性が高い駅名」と判定してもよいし、複数のユーザの検索ログ（リクエスト）数に基づき、需要が最も多い（＝最も利用可能性が高い）駅名を、「最も可能性が高い駅名」と判定してもよい。
【００６８】
図８に示す例では、目的駅として音声入力部２４に入力された「びーえき」という音声と読みが完全一致ないし部分一致する駅名として「Ｂ駅」と「Ｂ一丁目駅」と「Ｂ二丁目駅」が存在する場合に、出力制御部３２ｂは、読みが完全一致する「Ｂ駅」を最も可能性が高い駅名であると判断し、「Ｂ駅」を目的駅として探索された経路情報を、固定端末２の音声出力部２５から出力させ、「Ｂ駅」を目的駅として探索された経路情報とともに、「Ｂ一丁目駅」を目的駅として探索された経路情報と、「Ｂ二丁目駅」を目的駅として探索された経路情報とを、移動端末４の視覚的出力部４５から出力させる。この場合も、出力制御部３２ｂが、固定端末２の音声出力部２５だけでなく、固定端末２の音声出力部２５と移動端末４の視覚的出力部４５とを組み合わせて出力手段として利用し、取得された経路情報の内容や状況に応じて適切な出力先から経路情報を出力させるため、ユーザにとって使い勝手のよいナビゲーションを実現できる。
【００６９】
（動作のさらに別の一例（第７実施例））
また、たとえば、図９に示すように、予約決済部３２ｃが、移動に伴う交通機関や施設を、固定端末２の音声入力部２４に対する音声入力に応じて、予約または決済してもよい。
【００７０】
図９に示す例では、固定端末２の音声入力部２４に対する音声入力（「お願い。通路側の座席がいいな。」）に応じて、予約決済部３２ｃは、航空会社の航空券予約システムをネットワーク５を介して利用するなどして、Ｗ空港１０時発のＡＢＣ１２３便の通路側の座席の予約を行う。
【００７１】
図９に示す例では、出力制御部３２ｂによって、固定端末用経路情報が固定端末２の音声出力部２５から出力されるだけでなく、予約決済部３２ｃによって、当該経路の移動に伴う交通機関や施設を、固定端末２の音声入力部２４に対する音声入力に応じて、予約または決済できるため、より使い勝手のよいナビゲーションを実現できる。
【００７２】
（動作のさらに別の一例（第８実施例））
また、たとえば、図１０に示すように、移動端末４の移動端末入力部４４に対するユーザ操作に応じて一の経路が選定されると、出力制御部３２ｂは、選定された経路の経路情報を固定端末２の音声出力部２５および／または固定端末２と連携する他の移動端末（不図示）の視覚的出力部から出力してもよい。
【００７３】
図１０に示す例では、移動端末４の視覚的出力部４５に出力された複数の候補経路のうち、２０時３５分にＡ駅に到着する経路がユーザ操作により選定される（たとえば、タッチパネル上で「送信」ボタンがタップ操作される）と、移動端末制御部４２は、選定された経路の経路情報をサーバ３へと送信する。
【００７４】
サーバ３の出力制御部３２ｂは、選定された経路の経路情報（「２０時３５分にＡ駅に到着です」）を固定端末２の音声出力部２５から出力する。このとき、出力制御部３２ｂは、選定された経路の経路情報とともに、移動端末４のユーザに関する情報（「パパからお知らせです。」）を、固定端末２の音声出力部２５から出力してもよい。
【００７５】
図１０に示す例では、固定端末２に対する音声入力により、移動端末４から経路情報を出力させるだけでなく、それとは逆向きで、移動端末４に対するユーザ操作により、固定端末２から経路情報を出力させることができるため、より使い勝手のよいナビゲーションを実現できる。
【００７６】
本実施例において、移動端末４にて帰宅経路を探索して固定端末２へと送る操作を自動化してもよい。例えば、帰宅者の移動端末４から家族の移動端末または固定端末２宛に「今から帰るよ」といったメッセージを、サーバ３を介して送信すると、サーバ３のサーバ制御部３２がメッセージの文脈を解釈し、今から帰宅する状況であるか否かを判定する。そして、サーバ制御部３２は、今から帰宅する状況であると判定した場合には、サーバ記録部３３に予め登録されているルートについて、メッセージの送信タイミングの時刻に基づいて経路探索を行い、探索結果に基づく自宅や最寄り駅への到着時刻に関する情報（「今会社を出たので１９時１０分、あと３５分で家に着く見込みです」など」を、固定端末２から音声出力してもよい。また、サーバ制御部３２は、メッセージの代わりに、帰宅者の移動端末４から送信されたスタンプや絵文字に基づいて（例えばスタンプや絵文字の識別子等から判定して）、今から帰宅する状況であることを判定し、同様の制御を行ってもよい。
【００７７】
なお、上述した実施形態で説明した情報処理システム１の少なくとも一部は、ハードウェアで構成してもよいし、ソフトウェアで構成してもよい。ハードウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７８】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７９】
さらに、一つまたは複数の情報処理装置によって情報処理システム１を機能させてもよい。複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【００８０】
また、方法の発明においては、全ての工程（ステップ）をコンピュータによって自動制御で実現するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【００８１】
上記の記載に基づいて、当業者であれば、本発明の追加の効果や様々の変形を想到できるかもしれないが、本発明の態様は、上述した個々の実施形態に限定されるものではない。特許請求の範囲に規定された内容およびその均等物から導き出される本発明の概念的な思想と趣旨を逸脱しない範囲で種々の追加、変更および部分的削除が可能である。
【符号の説明】
【００８２】
１      情報処理システム
２      固定端末
２１    固定端末通信部
２２    固定端末制御部
２３    固定端末記憶部
２４    音声入力部
２５    音声出力部
３      サーバ
３１    サーバ通信部
３２    サーバ制御部
３２ａ  経路取得部
３２ｂ  出力制御部
３２ｃ  予約決済部
３３    サーバ記憶部
３３ａ  経路ネットワーク情報データベース
３３ｂ  地図情報データベース
４      移動端末
４１    移動端末通信部
４２    移動端末制御部
４３    移動端末記憶部
４４    移動端末入力部
４５    視覚的出力部
５      ネットワーク
【図１】
2019102015.tif 000003
【図２】
2019102015.tif 000004
【図３】
2019102015.tif 000005
【図４】
2019102015.tif 000006
【図５】
2019102015.tif 000007
【図６】
2019102015.tif 000008
【図７】
2019102015.tif 000009
【図８】
2019102015.tif 000010
【図９】
2019102015.tif 000011
【図１０】
2019102015.tif 000012